(57)【要約】      （修正有）【課題】部品点数を削減や組立て工数の低減が可能であり、減速ギア機構の組立て精度を高くする、自動開閉装置を提供する。【解決手段】便器上に設置される便座と便フタと、便座と便フタとを電動で個別に開閉する自動開閉装置１０と、自動開閉装置１０の開閉を制御する制御装置と、を備える温水洗浄便座装置であって、自動開閉装置１０は、便座を開閉する便座用モータ１１と便座用減速ギア機構２０と、便フタを開閉する便フタ用モータ１３と便フタ用減速ギア機構３０と、便座用モータ１１と便座用減速ギア機構２０と便フタ用モータ１３と便フタ用減速ギア機構３０とを保持する中間プレート４０とケース７０と、を具備する。【選択図】図２
2013066549.tif 000002
【特許請求の範囲】
【請求項１】
便器上に設置される便座と便フタと、
前記便座と前記便フタとを電動で個別に開閉する自動開閉装置と、
前記自動開閉装置の開閉を制御する制御装置と、
を備える温水洗浄便座装置であって、
前記自動開閉装置は、
前記便座を開閉する便座用モータと便座用減速ギア機構と、
前記便フタを開閉する便フタ用モータと便フタ用減速ギア機構と、
前記便座用モータと前記便座用減速ギア機構と前記便フタ用モータと前記便フタ用減速ギア機構とを保持する中間プレートと、
前記中間プレートの前記便座用減速ギア機構と前記便フタ用減速ギア機構のギアの軸の受け部の対向側に位置し対向側に露出した前記便座用減速ギア機構と前記便フタ用減速ギア機構のギアの軸を保持するケースと、を具備する、
温水洗浄便座装置。
【請求項２】
請求項１に記載の温水洗浄便座装置に於いて、
前記便座用減速ギア機構または前記便フタ用減速ギア機構は、前記中間プレートと前記ケースとの当接面に平行なギアの軸を有する減速ギアを具備する、
温水洗浄便座装置。
【請求項３】
請求項１または２に記載の温水洗浄便座装置に於いて、
前記自動開閉装置は、
前記便座用減速ギア機構と前記便フタ用減速ギア機構とに回転検知センサを具備する、
温水洗浄便座装置。
【請求項４】
便器上に設置される便座と便フタと、
前記便座と前記便フタとを電動で個別に開閉する自動開閉装置と、
前記自動開閉装置の開閉を制御する制御装置と、
を備える温水洗浄便座装置であって、
前記自動開閉装置は、
前記便座を開閉する便座用モータと便座用減速ギア機構と、
前記便フタを開閉する便フタ用モータと便フタ用減速ギア機構と、
前記便座用モータと前記便座用減速ギア機構と前記便フタ用モータと前記便フタ用減速ギア機構とを保持する中間プレートと、
前記中間プレートの前記便座用減速ギア機構と前記便フタ用減速ギア機構のギアの軸の受け部の対向側に位置し対向側に露出した前記便座用減速ギア機構と前記便フタ用減速ギア機構のギアの軸を保持するケースと、を具備し、
前記便座用減速ギア機構または前記便フタ用減速ギア機構は、前記中間プレートと前記ケースとの当接面に平行なギアの軸を有する減速ギアを具備する、
温水洗浄便座装置の組付け方法であって、
前記便座用減速ギア機構または前記便フタ用減速ギア機構を前記中間プレートとで保持し、且つ前記中間プレートと前記ケースとの当接面に平行な面で前記中間プレートまたは前記ケースに組付ける、
温水洗浄便座装置の組付け方法。
【発明の詳細な説明】
【技術分野】
【０００１】
本発明は、便座と便フタの自動開閉装置を備える温水洗浄便座装置およびその組付け方法に関する。
【背景技術】
【０００２】
従来技術として、ウォームギアが回転軸に取り付けられたモータと、便座・便フタを開閉する出力軸と、ウォームギアの回転を減速して出力軸に伝達する減速ギア機構と、を備え、減速ギア機構は、３つの支持部材などを挟持して平行配置された２枚のプレートと、２枚のプレート間に配置された複数のギア群と、を有している、自動開閉装置を備える温水洗浄便座装置がある（例えば、特許文献１参照。）。
【先行技術文献】
【特許文献】
【０００３】
【特許文献１】特開２００７−３１９４１１号公報
【発明の概要】
【発明が解決しようとする課題】
【０００４】
しかしながら、特許文献１の温水洗浄便座装置では、自動開閉装置の減速ギア機構は、３つの支持部材などを挟持した２枚のプレートの間に配置されている為、部品点数が多くなり、組立て工数が多く必要になると共に減速ギア機構の組立て精度が低くなる、と云う問題がある。
【０００５】
本発明は上記問題点に鑑みて成されたものであり、部品点数を削減や組立て工数の低減が可能であり、減速ギア機構の組立て精度を高くする、温水洗浄便座装置およびその組付け方法を提供することを目的とする。
【課題を解決するための手段】
【０００６】
本発明の第１の課題解決手段は、便器上に設置される便座と便フタと、前記便座と前記便フタとを電動で個別に開閉する自動開閉装置と、前記自動開閉装置の開閉を制御する制御装置と、を備える温水洗浄便座装置であって、前記自動開閉装置は、前記便座を開閉する便座用モータと便座用減速ギア機構と、前記便フタを開閉する便フタ用モータと便フタ用減速ギア機構と、前記便座用モータと前記便座用減速ギア機構と前記便フタ用モータと前記便フタ用減速ギア機構とを保持する中間プレートと、前記中間プレートの前記便座用減速ギア機構と前記便フタ用減速ギア機構のギアの軸の受け部の対向側に位置し対向側に露出した前記便座用減速ギア機構と前記便フタ用減速ギア機構のギアの軸を保持するケースと、を具備する、構成である。
【０００７】
また、本発明の第２の課題解決手段は、前記便座用減速ギア機構または前記便フタ用減速ギア機構は、前記中間プレートと前記ケースとの当接面に平行なギアの軸を有する減速ギアを具備する、構成である。
【０００８】
また、本発明の第３の課題解決手段は、前記自動開閉装置は、前記便座用減速ギア機構と前記便フタ用減速ギア機構とに回転検知センサを具備する、構成である。
【０００９】
また、本発明の第４の課題解決手段は、便器上に設置される便座と便フタと、前記便座と前記便フタとを電動で個別に開閉する自動開閉装置と、前記自動開閉装置の開閉を制御する制御装置と、を備える温水洗浄便座装置であって、前記自動開閉装置は、前記便座を開閉する便座用モータと便座用減速ギア機構と、前記便フタを開閉する便フタ用モータと便フタ用減速ギア機構と、前記便座用モータと前記便座用減速ギア機構と前記便フタ用モータと前記便フタ用減速ギア機構とを保持する中間プレートと、前記中間プレートの前記便座用減速ギア機構と前記便フタ用減速ギア機構のギアの軸の受け部の対向側に位置し対向側に露出した前記便座用減速ギア機構と前記便フタ用減速ギア機構のギアの軸を保持するケースと、を具備し、前記便座用減速ギア機構または前記便フタ用減速ギア機構は、前記中間プレートと前記ケースとの当接面に平行なギアの軸を有する減速ギアを具備する、水洗浄便座の組付け方法であって、前記便座用減速ギア機構または前記便フタ用減速ギア機構を前記中間プレートとで保持し、且つ前記中間プレートと前記ケースとの当接面に平行な面で前記中間プレートまたは前記ケースに組付ける、温水洗浄便座装置の組付け方法である。
【発明の効果】
【００１０】
本発明の温水洗浄便座装置は、自動開閉装置の中間プレートとケースで便座用モータと便座用減速ギア機構と便フタ用モータと便フタ用減速ギア機構とを保持することで、自動開閉装置の部品点数を削減や組立て工数の低減も可能となり、減速ギア機構の組立て精度を高くする、ことができる。即ち、従来技術の３つの支持部材と１枚のプレートを中間プレートに一体成形することで、部品点数を削減し、組立て工数低減と組立て精度向上が、可能になる。
【００１１】
また、本発明の温水洗浄便座装置は、中間プレートとケースとの当接面に平行なギアの軸を有する減速ギアを具備する。これにより、ヘリカルギアまたはピニオンギアを同じ平面に並べて平面を大きくせず、平面と直交する面の隙間に配置することが可能になり、自動開閉装置のサイズをより小さくすることが可能になる。加えて、便座または便フタの重量増が必要になった際に、モータや出力軸の間の空間を利用してギアを配置し、自動開閉装置の減速比をより大きくすることが可能になる。
【００１２】
また、本発明の温水洗浄便座装置は、便座用減速ギア機構と便フタ用減速ギア機構とに回転検知センサを具備することで、回転検知センサによって便座と便フタの開角度をより正確に把握し、制御装置でより正確に制御することが可能になる。
【００１３】
また、本発明の温水洗浄便座装置は、中間プレートとケースとの当接面に平行なギアの軸を有する減速ギアを具備する。これにより、ヘリカルギアまたはピニオンギアを同じ平面に並べて平面を大きくせず、平面と直交する面の隙間に配置することが可能になり、自動開閉装置のサイズをより小さくすることが可能になる。加えて、便座または便フタの重量増が必要になった際に、モータや出力軸の間の空間を利用してギアを配置し、自動開閉装置の減速比をより大きくすることが可能になる。
【図面の簡単な説明】
【００１４】
【図１】本発明の温水洗浄便座装置の斜視図
【図２】図１に示す自動開閉装置の分解斜視図
【発明を実施するための形態】
【００１５】
以下に本発明の実施の形態を図面に基づいて詳細に説明する。
【００１６】
図１は、本発明の温水洗浄便座装置１の斜視図である。本発明の温水洗浄便座装置１は、便器２上に設置される便座３と便フタ４と、便座３と便フタ４とを電動で個別に開閉する自動開閉装置１０と、自動開閉装置１０の開閉を制御する制御装置５と、を備えている。制御装置５には、人体検知センサ６と便座開閉スイッチ７と便フタ開閉スイッチ８と、が電気的に連結されている。
【００１７】
図２は、図１に示す自動開閉装置１０の分解斜視図である。自動開閉装置１０は、便座３を開閉する便座用モータ１１と便座用減速ギア機構２０と、便フタ４を開閉する便フタ用モータ１３と便フタ用減速ギア機構３０と、便座用モータ１１と便座用減速ギア機構２０と便フタ用モータ１３と便フタ用減速ギア機構３０とを保持する中間プレート４０とケース７０と、を具備している。
【００１８】
以下に、便座用減速ギア機構２０の構成を説明する。中間プレート４０の受け面には、便座用第１ウォームギアの軸受け部４１に便座用第１ウォームギア２１が挿入され、２箇所の便座用モータ固定孔４６に２本のモータ固定ねじ１５を貫通させ、便座用第１ウォームギア２１に締結された便座用モータ１１の便座用モータねじ孔１２に２本のモータ固定ねじ１５で、ねじ留めしている。便座用第１ウォームギア２１と平行に係合する便座用第１ヘリカルギア２２の軸中心と、便座用第１ヘリカルギア２２と同軸上に一体成形された便座用第２ウォームギア２３の軸中心には、中間プレート４０の便座用第１ヘリカルギアの軸受け孔４２を圧入貫通させた第1の便座ギア用ピン２８を圧入貫通させ、更に、中間プレート４０の便座用第２ウォームギアの軸受け孔４３に圧入貫通させている。便座用第２ウォームギア２３と平行に係合する便座用第２ヘリカルギア２４には、便座用第２ヘリカルギア２４と同軸上に便座用第３ピニオンギア２５が一体成形されている。便座用第２ヘリカルギア２４と便座用第３ピニオンギア２５の軸中心には、第２の便座ギア用ピン２９を回転軸として圧入貫通させている。便座用第２ヘリカルギア２４側に突出た第２の便座ギア用ピン２９は、中間プレート４０の便座用第２ヘリカルギアの軸受け部４４に挿入されている。便座用第３ピニオンギア２５に突出た第２の便座ギア用ピン２９は、中間プレート４０の当接面５９とケース７０の当接面７５が組み合わされる際に、ケース７０の便座用第３ピニオンギアの軸受け部７１に挿入される。便座用第３ピニオンギア２５と平行に係合する便座用第３出力ギア２６の同軸延長部には、便座用第３出力軸２７が一体成形されている。便座用第３出力ギア２６の回転軸は、中間プレート４０の便座用第３出力ギアの軸受け部４５に挿入されている。便座用第３出力軸２７は、ケース７０の便座用第３出力軸２７受け部７２に挿入されている。
【００１９】
以下に、便フタ用減速ギア機構３０の構成を説明する。中間プレート４０には、便フタ用第１ウォームギアの軸受け部５０に便フタ用第１ウォームギア３１の回転軸が挿入され、２箇所の便フタ用モータ固定孔５５に２本のモータ固定ねじ１５を貫通させ、便フタ用第１ウォームギア３１に締結された便フタ用モータ１３の便フタ用モータねじ孔１４に２本のモータ固定ねじ１５で、ねじ留めしている。便フタ用第１ウォームギア３１と平行に係合する便フタ用第１ヘリカルギア３２の軸中心と、便フタ用第１ヘリカルギア３２と同軸上に一体成形された便フタ用第２ウォームギア３３の軸中心には、中間プレート４０の便フタ用第１ヘリカルギアの軸受け孔５２を圧入貫通させた第1の便フタギア用ピン３８を圧入貫通させ、更に、中間プレート４０の便フタ用第２ウォームギアの軸受け孔５３に圧入貫通させている。便フタ用第２ウォームギア３３と平行に係合する便フタ用第２ヘリカルギア３４には、便フタ用第２ヘリカルギア３４と同軸上に便フタ用第３ピニオンギア３５が一体成形されている。便フタ用第２ヘリカルギア３４と便フタ用第３ピニオンギア３５の軸中心には、第２の便フタギア用ピン３９を回転軸として圧入貫通させている。便フタ用第２ヘリカルギア３４に突出た第２の便フタギア用ピン３９は、中間プレート４０の便フタ用第２ヘリカルギアの軸受け部５１に挿入されている。便フタ用第３ピニオンギア３５に突出た第２の便フタギア用ピン３９は、中間プレート４０の当接面５９とケース７０の当接面７５が組み合わされる際に、ケース７０の便フタ用第３ピニオンギアの軸受け部７３に挿入される。便フタ用第３ピニオンギア３５と平行に係合する便フタ用第３出力ギア３６の同軸延長部には、便フタ用第３出力軸３７が一体成形されている。便フタ用第３出力ギア３６の回転軸は、中間プレート４０の便フタ用第３出力ギアの軸受け部５４に挿入されている。
【００２０】
中間プレート４０に便座用減速ギア機構２０と便フタ用減速ギア機構３０とを組付け、中間プレート４０の当接面５９とケース７０の当接面７５とを組み合わせたサブアッセンブリ８０には、便座用回転センサガイドピン４８に便座用回転センサ６１の便座用回転センサガイド孔６２が入る様に、便フタ用回転センサ取付け孔に便座用回転センサ６１が挿入され、便座用回転センサ６１の便座用回転センサねじ孔６３に１本の便座用回転センサ固定ねじ６７をねじ留めして、便座用回転センサ６１が、固定されている。サブアッセンブリ８０には、便フタ用回転センサガイドピン５７に便フタ用回転センサ６４の便フタ用回転センサガイド孔６５が入る様に、便フタ用回転センサ取付け孔５６に便フタ用回転センサ６４が挿入され、便フタ用回転センサ６４の便フタ用回転センサねじ孔６６に１本の便座用回転センサ固定ねじ６８をねじ留めして、便フタ用回転センサ６４が、固定されている。
【００２１】
サブアッセンブリ８０の当接面７６に、カバー９０の当接面９１を更に組付け、サブアッセンブリ８０とカバー９０を４本のカバー固定ねじ９２で締結して、自動開閉装置１０を形成している。自動開閉装置１０は、温水洗浄便座装置固定ねじ１６で温水洗浄便座装置１に締結される。
【００２２】
ここで、中間プレート４０、ケース７０、カバー９０、は例えば耐薬品性に優れ高強度であるポリブチレンテレフタレート（ＰＢＴ）を使用している。便座用第１ウォームギア２１、便座用第１ヘリカルギア２２、便座用第２ウォームギア２３、便座用第２ヘリカルギア２４、便座用第３ピニオンギア２５、便座用第３出力ギア２６、便座用第３出力軸２７、便フタ用第１ウォームギア３１、便フタ用第１ヘリカルギア３２、便フタ用第２ウォームギア３３、便フタ用第２ヘリカルギア３４、便フタ用第３ピニオンギア３５、便フタ用第３出力ギア３６、便フタ用第３出力軸３７、は耐摩耗性に優れ高強度であるポリアセタール（ＰＯＭ）を使用しており、各ギアには潤滑グリスを塗布している。第1の便座ギア用ピン２８、第２の便座ギア用ピン２９、第1の便フタギア用ピン３８、第２の便フタギア用ピン３９はＳ４５Ｃ（鉄）を使用している。
【００２３】
なお、サブアッセンブリ８０にはカバー９０を組み付けず、サブアッセンブリ８０の状態で４本のカバー固定ねじ９２を用いて締結して、自動開閉装置１０を形成することも可能である。ポリブチレンテレフタレートの代わりにポリプロピレン等の樹脂を、ポリアセタールの代わりにポリアミド（ナイロン）等の樹脂や真鍮等の金属を、Ｓ４５Ｃの代わりにステンレス鋼等の金属を、使用することも可能である。
【００２４】
以下に、本発明の温水洗浄便座装置１の動作について、説明する。
【００２５】
図１の人体検知センサ６で使用者が温水洗浄便座装置１の便座３先端から５０ｃｍ未満の位置に近づいたことを検知すると、自動開閉装置１０は制御装置５の制御によって便フタ４を開ける。便座３も開けたい場合は、使用者が、便座開閉スイッチ７を押すことで、自動開閉装置１０は制御装置５の制御によって便座３を開ける。使用者が温水洗浄便座装置１の便座３先端から５０ｃｍ以上の位置に離れたことを検知すると、制御装置５の制御によって便フタ４を閉じる。この際、便座３も開いている場合には便座３を先に閉じてから便フタ４を閉じる。使用者が、便座開閉スイッチ７または便フタ開閉スイッチ８を押すことで任意に便座３と便フタ４を開閉することも可能である。
【００２６】
なお、ここでは人体検知センサ６の検知判定距離を５０ｃｍで記載しているが、得意先や使用者と云ったお客様の要望によって任意の距離に変更することも可能である。
【００２７】
以下に、使用者がトイレに入室して温水洗浄便座装置を使用する際の便座３と便フタ４の動きに合わせて、自動開閉装置１０の内部の動きに付いて説明する。
【００２８】
便フタ４を開ける際には、制御装置５の制御を受けて、便フタ用モータ１３が、図２の右から見てＣＣＷ（反時計回り）に回転し、便フタ用第１ウォームギア３１が図２の右から見てＣＣＷに回転し、便フタ用第１ヘリカルギア３２と便フタ用第２ウォームギア３３が図２の前から見てＣＷ（時計回り）に回転し、便フタ用第２ヘリカルギア３４と便フタ用第３ピニオンギア３５が図２の右から見てＣＣＷに回転し、便フタ用第３出力ギア３６と便フタ用第３出力軸３７が図２の右から見てＣＷに回転する。この際、便フタ４の開き量は、便フタ用回転センサ６４によって監視され、制御装置５に開き量データとして送信される。次いで、制御装置５の制御を受けて、便フタ４が、便座３上から所定の位置まで開けられる。
【００２９】
便座３を開ける際には、制御装置５の制御を受けて、便座用モータ１１が、図２の右から見てＣＣＷに回転し、便座用第１ウォームギア２１が図２の右から見てＣＣＷに回転し、便座用第１ヘリカルギア２２と便座用第２ウォームギア２３が図２の前から見てＣＣＷに回転し、便座用第２ヘリカルギア２４と便座用第３ピニオンギア２５が図２の右から見てＣＣＷに回転し、便座用第３出力ギア２６と便座用第３出力軸２７が図２の右から見てＣＷに回転する。この際、便座３の開き量は、便座用回転センサ６１によって監視され、制御装置５に開き量データとして送信される。次いで、制御装置５の制御を受けて、便座３が、便器２上から所定の位置まで開けられる。
【００３０】
便座３を閉める際には、制御装置５の制御を受けて、便座用モータ１１が、図２の右から見てＣＷに回転し、便座用第１ウォームギア２１が図２の右から見てＣＷに回転し、便座用第１ヘリカルギア２２と便座用第２ウォームギア２３が図２の前から見てＣＷに回転し、便座用第２ヘリカルギア２４と便座用第３ピニオンギア２５が図２の右から見てＣＷに回転し、便座用第３出力ギア２６と便座用第３出力軸２７が図２の右から見てＣＣＷに回転する。この際、便座３の閉じ量は、便座用回転センサ６１によって監視され、制御装置５に閉じ量データとして送信される。次いで、制御装置５の制御を受けて、便座３が、所定の位置から便器２上まで閉じられる。
【００３１】
便フタ４を閉める際には、制御装置５の制御を受けて、便フタ用モータ１３が、図２の右から見てＣＷに回転し、便フタ用第１ウォームギア３１が図２の右から見てＣＷに回転し、便フタ用第１ヘリカルギア３２と便フタ用第２ウォームギア３３が図２の前から見てＣＣＷに回転し、便フタ用第２ヘリカルギア３４と便フタ用第３ピニオンギア３５が図２の右から見てＣＷに回転し、便フタ用第３出力ギア３６と便フタ用第３出力軸３７が図２の右から見てＣＣＷに回転する。この際、便フタ４の閉じ量は、便フタ用回転センサ６４によって監視され、制御装置５に閉じ量データとして送信される。次いで、制御装置５の制御を受けて、便フタ４が、所定の位置から便座３上まで閉じられる。
【００３２】
即ち、便座用モータ１１と便蓋用モータ１３とは、中間プレート４０にモータ固定ネジ１５でねじ留めされており、便座用減速ギア機構２０と便フタ用減速ギア機構３０との各ギアは、中間プレート４０とケース７０の間または中間プレート４０のみに軸支されている。
【００３３】
なお、便座用モータ１１、便座用第１ウォームギア２１、便座用第１ヘリカルギア２２、便座用第２ウォームギア２３、便座用第２ヘリカルギア２４、便座用第３ピニオンギア２５、便座用第３出力ギア２６、便座用第３出力軸２７と、便フタ用モータ１３、便フタ用第１ウォームギア３１、便フタ用第１ヘリカルギア３２、便フタ用第２ウォームギア３３、便フタ用第２ヘリカルギア３４、便フタ用第３ピニオンギア３５、便フタ用第３出力ギア３６、便フタ用第３出力軸３７と、の回転方向の組み合わせは、設計者の要求によって変更することが可能である。更に、便座用第３出力軸２７または便フタ用第３出力軸３７には、便座または便フタを開ける際の便座用モータ１１または便フタ用１３モータのトルクあるいは便座用減速ギア機構２０または便フタ用減速ギア機構３０の減速比を小さくする為の付勢スプリングとしてトーションスプリングを設置することも可能である。加えて、ケース７０の当接面７５とカバー９０の当接面９１の間には、エチレンプロピレンジエンゴム（ＥＰＤＭ）と云ったパッキンを防水部品として使用することも可能である。便座用第３出力軸２７とケース７０の便座用第３出力軸受け部７２の間や便蓋用第３出力軸３７と便蓋用第３出力軸受け部７４の間には、メカニカルシールまたは、ポリアセタール（ＰＯＭ）と云った滑りやすく体摩耗製の高い平ワッシャと潤滑性が高く電気部品接点部の電気導電性を損なわないリチウム石鹸系グリスと云った液体パッキンを組み合わせ、防水部品として使用することも可能である。
【００３４】
以下に、本発明の温水洗浄便座装置１の効果について説明する。
【００３５】
本発明の温水洗浄便座装置１は、自動開閉装置１０の中間プレート４０とケース７０で便座用モータ１１と便座用減速ギア機構２０と便フタ用モータ１３と便フタ用減速ギア機構３０とを保持することで、自動開閉装置１０の部品点数を削減して、組立て工数も低減すると共に減速ギア機構の組立て精度を高くする、ことが可能になる。即ち、従来技術の３つの支持部材と１枚のプレートを本発明の中間プレート４０に一体成形することで、部品点数を削減し、組立て工数低減と組立て精度向上が、可能になる。更に、本発明では、従来技術の３つの支持部材によって発生する各ギアの軸の高さとピッチのバラツキを調整する治具または補正部品を、必要としなくなる。
【００３６】
また、本発明の温水洗浄便座装置１は、中間プレート４０の当接面５９とケース７０の当接面７５に平行な第1の便座ギア用ピン２８軸と第1の便フタギア用ピン３８軸とをそれぞれ有する便座用減速ギア機構２０と便フタ用減速ギア機構３０とを具備している。これにより、ギア輪列を同一方向に配置することによるギア輪列平面の増大を防止し、自動開閉装置のサイズをより小さくすることが可能になる。加えて、便座３または便フタ４の重量増が必要になった際に、便座用モータ１１、便蓋用モータ１３、便座用第３出力軸２７、便蓋用第３出力軸３７、の間の空間へ便座用減速ギア機構２０や便フタ用減速ギア機構３０を配置し、自動開閉装置１０の減速比をより大きくすることが可能になる。
【００３７】
また、本発明の温水洗浄便座装置１は、便座用減速ギア機構２０と便フタ用減速ギア機構３０とに便座用回転センサ６１と便フタ用回転センサ６４を具備することで、便座３と便フタ４の開角度をより正確に制御することが可能になる。これにより、便器タンク９への便フタ４の衝突や便座３の便フタ４への衝突による、衝突音の発生や便フタ４の衝突や便座３の割れ等の破損を防止することが可能になる。
【００３８】
また、本発明の温水洗浄便座装置１は、中間プレート４０の当接面５９とケース７０の当接面７５に平行な第1の便座ギア用ピン２８軸と第1の便フタギア用ピン３８軸とをそれぞれ有する便座用減速ギア機構２０と便フタ用減速ギア機構３０とを具備している。これにより、ギア輪列を同一方向に配置することによるギア輪列平面の増大を防止し、自動開閉装置のサイズをより小さくすることが可能になる。加えて、便座３または便フタ４の重量増が必要になった際に、便座用モータ１１、便蓋用モータ１３、便座用第３出力軸２７、便蓋用第３出力軸３７、の間の空間へ便座用減速ギア機構２０や便フタ用減速ギア機構３０を配置し、自動開閉装置１０の減速比をより大きくすることが可能になる。
【符号の説明】
【００３９】
１  温水洗浄便座装置
２  便器
３  便座
４  便フタ
５  制御装置
１０  自動開閉装置
１１  便座用モータ
１３  便フタ用モータ
２０  便座用減速ギア機構
３０  便フタ用減速ギア機構
４０  中間プレート
６１  便座用回転センサ
６４  便フタ用回転センサ
７０  ケース
【図１】
2013066549.tif 000003
【図２】
2013066549.tif 000004